(57)【特許請求の範囲】
【請求項１】
先端に光コネクタを有する複数の光ファイバ心線をテープ心線化したテープ心線と、前記テープ心線を挟み込むようにして保持する少なくとも２枚のシート部材からなるカードと、前記カードを複数有する光配線架であって、前記光ファイバ心線はカードの前後でテープ心線化されており、かつ前記カードにおけるテープ心線はシート部材から分離できるように保持されていることを特徴とする光配線架。
【請求項２】
前記シート部材に保持されたテープ心線を屈曲させた状態で保持することを特徴とする請求項１記載の光配線架。
【請求項３】
前記シート部材の少なくとも１つは、シリコンフォームからなるシート部材であることを特徴とする請求項１記載の光配線架。
【請求項４】
前記カードは、縦置き型であることを特徴とする請求項１記載の光配線架。
【発明の詳細な説明】
【技術分野】
【０００１】
この発明は、光配線架に関するものである。
【背景技術】
【０００２】
光ファイバネットワークにおいて、例えば、光ケーブルを光コネクタ接続により光ファイバ心線へ分岐接続するには、多数の局内外光ファイバを成端して大群構成とする光配線架が使用される（例えば、特許文献１を参照）。
【０００３】
図４および図５を用いて従来の光配線架を説明する。
図４は従来の光配線架を示す正面図であり、図５は従来の端子板の拡大斜視図である。
１はフレーム、２は端子板、３は光コネクタ、５は仕切板、７は光ファイバ心線束、Ｆは光ファイバ心線である。
フレーム１は、水平に配置された仕切板５によって等間隔の複数段に仕切られた棚状に形成されており、このフレーム１の各段には端子板２が固定されている。この端子板２には光コネクタ３が複数並べて接続、固定される。この光コネクタ３にはそれぞれ光ファイバ心線Ｆが接続され、各段ごとに束ねて光ファイバ心線束７としてフレーム１から取り出される。
【０００４】
上述のような光配線架の場合、収容心線数の増大や高密度実装の要求に応じるために省スペース化を図ることが望ましいが、図５に示されるように、各光ファイバ心線Ｆの撓みがスペースを占めて障害となっていた。また、光ファイバ同士が絡まりあい、光ファイバの破断や、急激な曲げによる光損失の増大を引き起こしていた。
さらに、光ファイバ心線束７内の各光ファイバ心線Ｆはすべて一様で識別が困難であり、光ファイバ心線Ｆと光コネクタ３との対応関係を認識するには光ファイバ心線Ｆを辿るしかなく、作業性が極めて悪かった。
【０００５】
【特許文献１】特開２００５−１６５０７５号公報
【発明の開示】
【発明が解決しようとする課題】
【０００６】
本発明は、以上のような問題点に鑑みて為されたものであり、その目的とする処は、省スペース化を図ることができ、かつ、光ファイバ心線と光コネクタとの対応を容易に識別できる光配線架を提供することにある。
【課題を解決するための手段】
【０００７】
本発明は、下記の技術的構成により、前記課題を解決できたものである。
【０００８】
（１）先端に光コネクタを有する複数の光ファイバ心線をテープ心線化したテープ心線と、前記テープ心線を挟み込むようにして保持する少なくとも２枚のシート部材からなるカードと、前記カードを複数有する光配線架であって、前記光ファイバ心線はカードの前後でテープ心線化されており、かつ前記カードにおけるテープ心線はシート部材から分離できるように保持されていることを特徴とする光配線架。
（２）前記シート部材に保持されたテープ心線を屈曲させた状態で保持することを特徴とする前記（１）記載の光配線架。
（３）前記シート部材の少なくとも１つは、シリコンフォームからなるシート部材であることを特徴とする前記（１）記載の光配線架。
（４）前記カードは、縦置き型であることを特徴とする前記（１）記載の光配線架。
【発明の効果】
【０００９】
本発明によれば、省スペース化を図ることができ、かつ、光ファイバ心線と光コネクタとの対応関係を容易に認識できる光配線架を提供することができる。
【発明を実施するための最良の形態】
【００１０】
以下、この発明の実施の形態について図面を参照して説明する。
【００１１】
（実施形態１）
図１および図２を用いて本発明の実施形態１を説明する。
図１は実施形態１の光配線架における端子板の拡大斜視図、図２は本発明のカードを示す分解斜視図である。
Ｔ１、Ｔ２は光ファイバ心線Ｆを所定の本数ずつテープ化したテープ心線部、Ｃは保持手段であるカードである。１１はシリコンフォームなどからなるシート部材、１２は保護フィルムなどからなるシート部材、１３は保持板、１４は脚部、１５は支持台である。
【００１２】
図１に示すように、実施形態１の光配線架は、光ファイバ心線Ｆを保持する保持手段としてカードＣを備え、かつ、光ファイバ心線Ｆがテープ心線部Ｔ１、Ｔ２の２箇所で所定の本数ずつテープ心線化されている。
実施形態１の保持手段はカードＣであり、後述するシート部材１１とシート部材１２との間に光ファイバ心線Ｆが保持されている。そのため、該光ファイバ心線Ｆは、シート部材１１とシート部材１２とを剥がせばこれらのシート部材から分離できるようになっている。
したがって、容易に光ファイバ心線を保持手段から分離して、配線を組み換え、光コネクタＣの接続を変更することができ、メンテナンス作業の時間や手間を省くことができる。
保持手段としては、光ファイバ心線Ｆを屈曲させた状態で保持することができるものが好ましい。また、光ファイバ心線Ｆを配線して保持できるものが好ましい。
保持手段で光ファイバ心線Ｆを保持することで、光ファイバ心線Ｆの撓みを小さくして光配線架の省スペース化を図ることができる。
また、光ファイバ心線Ｆを屈曲させた状態で保持すれば光ファイバ心線Ｆの撓みを最小限にすることができ、これに合わせて仕切板５を小さくすることでさらに光配線架の省スペース化を図ることができる。
なお、保持手段を用いることで、光ファイバ心線Ｆの撓みによる光損失の発生を防ぐ効果をも得ることができる。
【００１３】
また、光ファイバ心線Ｆを少なくとも１箇所で所定の本数ずつテープ心線化することで、光ファイバ心線Ｆと光コネクタ３との対応関係を容易に認識できる。
図１に示すテープ心線部Ｔ１、Ｔ２のように、保持手段の前後で所定の本数ずつテープ心線化すれば対応関係を容易に認識でき、さらに好ましい。
また、図１に示すように、幅広のテープ心線部Ｔ２を重ねるように配置すれば、仕切板５が小さくても済むようになり光配線架の省スペース化を促進することができる。
そして、テープ心線部Ｔ１、Ｔ２は、光ファイバ心線Ｆの単心状態に比べて強度に優れ、光損失の発生を防ぐ効果もある。
なお、本発明におけるテープ心線とは、複数の光ファイバ心線をゴムや樹脂などで束ねたものをいう。例えば、複数の光ファイバ心線を粘着シート上に配列し、その上からシリコンゴムなどを塗布、硬化させることによって得ることができる。
【００１４】
なお、本発明の光ファイバには、マルチモード光ファイバ、シングルモード光ファイバいずれも用いることができ、光ファイバ径も０．２５ｍｍ、０．５ｍｍ、０．９ｍｍ、或いは２ｍｍコード、３ｍｍコードでも適用することが可能である。
また、０．２５ｍｍの心線を、途中で０．９ｍｍの心線に接続するなどの方法により、径を太くして心線を保護することもできる。
さらに、光ファイバの心線をチューブで覆い、保護するような構造にすることもできる。
なお、図１においては、光コネクタ３に接続された光ファイバとして０．２５ｍｍの心線をチューブで覆ったものを使用しており、カードＣ内で０．９ｍｍの心線に接続して、径を太くして保護を図っている。
【００１５】
次に、図２を用いてカードＣを詳細に説明する。
カードＣは、シート部材１１、シート部材１２を合わせてなることが好ましい。
また、保持板１３、脚部１４、支持台１５などをも備えて、カードＣを縦置き型とすることが好ましい。
シート部材１１に配線した光ファイバ心線Ｆをシート部材１２で覆うことで、配線した状態の光ファイバ心線Ｆを保持することができる。
そして、シート部材１１、光ファイバ心線Ｆ、シート部材１２を合わせて保持板１３の隙間へ挿入することで保護し、当該保持板１３と一体に設けられたＴ字状の脚部１４を支持台１５の穴へ挿し込むことで、カードＣを縦置きすることができる。
なお、当該保持板１３がシート部材１１、光ファイバ心線Ｆ、シート部材１２を挟み込んで固定するように構成してもよい。
また、支持台１５は仕切板５上に載せ置くだけでなく、予め接着剤やネジ等で固定しておくことが好ましい。
これにより、光ファイバ心線Ｆは、端子板２の正面に整列して配置されるカードＣに保持されるので、光コネクタ３との対応関係を容易に認識できる。
また、シート部材１２および保持板１３が透明部材であれば、カードＣ内の配線状態を容易に認識できてさらに好ましい。
【００１６】
シート部材１１の材料としては、発泡シリコン、シリコンゴムなどのシリコンフォームを好ましく用いることができ、その厚みや大きさは支持台１５で保持できれば特に限定されるものではない。
シート部材１２の材料としてはポリエチレンテレフタレートなどの保護フィルムを好ましく用いることができる。
また、保持板１３の材料としてはアクリル樹脂板などの部材を好ましく用いることができる。
保持板１３は、シート部材１１を固定するために、シート部材１１の大きさに合わせて成形したものが好ましい。また、扱いやすいように面取りしたものが好ましい。
【００１７】
カードＣは、仕切板５上に横たえて積層することで横置き型とすることもできる。しかし、光ファイバ心線Ｆを組み変えたり、光コネクタ３を挿し変えたりする事後的なメンテナンス作業を行いやすいという点で、積層しない縦置き型の方が好ましい。また、保持板１３の角度を傾けて斜めにし、上方から認識しやすくすることもできる。
なお、シート部材１１の両面に光ファイバ心線Ｆを配線することも可能である。
【００１８】
（実施形態２）
本発明の実施形態２を図３を用いて説明する。
１７はラベルである。
実施形態２は、カードＣにラベル１７を取り付けたことを除き、実施形態１と同一である。
ラベル１７を設けることで、光ファイバ心線Ｆの配線状態を番号や記号で認識することができ、メンテナンスなどの作業性が向上する。
また、テープ心線部Ｔ２にも対応したラベルを取り付ければ、光ファイバ心線Ｆと光コネクタ３との対応関係を認識しやすくなり、さらに好ましい。
ラベル１７はシート部材１１、保持板１３のいずれに取り付けてもよく、取り付ける位置もシート部材１１の表面や上方等、いかなる位置でもかまわない。一般的には、図３に示すように、視認しやすい保持板１３の前面に設置するのが好ましい。
ラベル１７には番号や記号を振ったものの他、バーコード、ＱＲコード、或いは着色したものなどを用いることができる。
【実施例】
【００１９】
（実施例１）
以下、本発明を実施例によって説明する。
なお、本発明はこれらに限定されるものではない。
まず、４本の光ファイバ（古河電工社製  石英系マルチモード光ファイバ心線、外径０．２５ｍｍ、長さ２ｍ）を粘着シート上に配列し、その上から被覆材料として常温硬化性シリコンゴム（モーメンティブマテリアルジャパン社  商品名：「ＴＳＥ３９２」）を塗布して成形冶具を用いて成形し、乾燥、硬化させて光ファイバテープ心線を得た。
そして、該光ファイバテープ心線の片端から２０ｃｍまで、光ファイバごとに被覆材を割いて分岐させた。そして、分岐した各光ファイバをチューブ（ハイトレルチューブ、０．９ｍｍ）で覆い、光コネクタを取り付けた。
次に、図１に示すように、該光ファイバテープ心線を屈曲させて、分岐した部分周辺をシリコンフォームからなるシート部材（スリーボンド製  商品名：「ＴＢ５２７７」、総厚１ｍｍ、サイズ４０ｍｍ×７０ｍｍ）に配線して貼り付け、その上から保護フィルムからなるシート部材（ポリエチレンテレフタレート、厚み３８μｍ、サイズ４０ｍｍ×７０ｍｍ）を合わせて、該光ファイバテープ心線を挟み込むようにしてカードＣを作製した。
【００２０】
次に、厚み１ｍｍのアクリル樹脂板を所定の形状に加工し、図２に示す保持板（サイズ３５ｍｍ×６５ｍｍ）２枚、Ｔ字状の脚部、穴を有する支持台を作製した。なお、保持板と脚部は接着剤で固定した。支持台は光配線架の仕切板上に接着剤で固定した。
そして、シリコンフォームからなるシート部材、光ファイバ心線、保護フィルムからなるシート部材を保持板の隙間へ挿入することで保護し、当該保持板と一体に設けられたＴ字状の脚部１４を支持台１５の穴へ挿し込むことで、カードＣを縦置きした。
最後に、図１に示すように、光コネクタを端子板の所望の接続口へ接続した。
以上のようにして、実施例１の光配線架を作製した。
実施例１の光配線架によれば、省スペース化を図ることができ、かつ、光ファイバ心線と光コネクタとの対応を容易に認識することができた。
【００２１】
（実施例２）
図３に示すように、保持板１３の前面にシリアルナンバーを表示したプラスチックフィルムラベルを貼り付けた。その他は実施例１と同様にして、実施例２の光配線架を作製した。
実施例２の光配線架によれば、実施例１の光配線架の効果に加えて、ラベルを設けることで光ファイバの配線状態を一目で認識することができ、メンテナンスでの作業性が飛躍的に向上した。
【図面の簡単な説明】
【００２２】
【図１】実施形態１の光配線架における端子板の拡大斜視図
【図２】本発明のカードを示す分解斜視図
【図３】実施形態２の光配線架における端子板の拡大斜視図
【図４】従来の光配線架を示す正面図
【図５】従来の端子板の拡大斜視図
【符号の説明】
【００２３】
１  フレーム
２  端子板
３  光コネクタ
５  仕切板
７  光ファイバ心線束
１１  シリコンフォームからなるシート部材
１２  保護フィルムからなるシート部材
１３  保持板
１４  脚部
１５  支持台
Ｃ  カード（保持手段）
Ｆ  光ファイバ心線
Ｔ１、Ｔ２  テープ心線部
【図１】
0005059544.tif 000002
【図２】
0005059544.tif 000003
【図３】
0005059544.tif 000004
【図４】
0005059544.tif 000005
【図５】
0005059544.tif 000006